(57)【要約】【課題】  洗濯物の盗難を防止可能であり、利用者が安心して待ち時間等を有効活用することが可能となるコインランドリー利用システムを提供すること。【解決手段】  洗濯機は、洗濯開始時に扉の施錠を行う手段と、洗濯終了時に終了情報をサーバに送信する手段と、サーバから開錠指令情報を受信した際に扉の開錠を行う手段とを備え、サーバは、携帯端末機から洗濯機の台番号を受信した場合に携帯端末機の端末識別情報に対応付けて台番号を記憶する手段と、洗濯機から終了情報を受信した場合に洗濯機の台番号に対応付けて記憶した端末識別情報の携帯端末機に洗濯終了通知情報を送信する手段と、携帯端末機から開錠要求情報を受信した場合にその携帯端末機の端末識別情報に対応付けて記憶した台番号の洗濯機に開錠指令情報を送信する手段とを備えたことを特徴とするコインランドリー利用システム。【選択図】    図１
2006262942.tif 000002
【特許請求の範囲】
【請求項１】
コインランドリーに設置された複数台の洗濯機と、前記洗濯機及び携帯端末機と情報の送受信を行うことが可能なサーバとを備えたコインランドリー利用システムであって、
前記洗濯機は、
洗濯開始時に洗濯物出入用の扉の施錠を行う施錠手段と、
洗濯終了時に終了情報をサーバに送信する終了情報送信手段と、
前記サーバから開錠指令情報を受信した際に前記扉の開錠を行う開錠手段とを備え、
前記サーバは、
前記携帯端末機から洗濯機の台番号を受信した場合に、前記携帯端末機の端末識別情報に対応付けて、前記台番号を記憶する記憶手段と、
前記洗濯機から終了情報を受信した場合に、前記洗濯機の台番号に対応付けて前記記憶手段に記憶された端末識別情報の携帯端末機に、洗濯終了通知情報を送信する洗濯終了通知情報送信手段と、
前記携帯端末機から開錠要求情報を受信した場合に、その携帯端末機の端末識別情報に対応付けて前記記憶手段に記憶された台番号の洗濯機に、開錠指令情報を送信する開錠指令情報送信手段とを備えた
ことを特徴とするコインランドリー利用システム。
【請求項２】
コインランドリーに設置された複数台の洗濯機と、前記洗濯機及び携帯端末機と情報の送受信を行うことが可能なサーバとを備えたコインランドリー利用システムであって、
前記洗濯機は、
料金の支払いを受けた場合に暗証番号を生成する暗証番号生成手段と、
前記暗証番号生成手段により生成された暗証番号を表示する暗証番号表示手段と、
前記暗証番号生成手段により生成された暗証番号をサーバに送信する暗証番号送信手段と、
洗濯開始時に洗濯物出入用の扉の施錠を行う施錠手段と、
洗濯終了時に終了情報をサーバに送信する終了情報送信手段と、
前記サーバから開錠指令情報を受信した際に前記扉の開錠を行う開錠手段とを備え、
前記サーバは、
前記洗濯機から暗証番号を受信した場合に、洗濯機の台番号と暗証番号とを対応付けて記憶する暗証番号記憶手段と、
前記携帯端末機から洗濯機の台番号及び暗証番号を受信した場合に、受信した暗証番号と、受信した台番号に対応付けて前記暗証番号記憶手段に記憶された暗証番号とに基づいて利用者の認証を行う第１認証手段と、
前記第１認証手段による利用者の認証が完了した場合に、前記携帯端末機から受信した洗濯機の台番号及び暗証番号を、送信元の携帯端末機の端末識別情報に対応付けて記憶する記憶手段と、
前記洗濯機から終了情報を受信した場合に、該洗濯機の台番号に対応付けて前記記憶手段に記憶された端末識別情報の携帯端末機に、洗濯終了通知情報を送信する洗濯終了通知情報送信手段と、
前記携帯端末機から開錠要求情報及び暗証番号を受信した場合に、その暗証番号と前記記憶手段に記憶された暗証番号とに基づいて利用者の認証を行う第２認証手段と、
前記第２認証手段による利用者の認証が完了した場合に、前記開錠要求情報の送信元の携帯端末機の端末識別情報に対応付けて前記記憶手段に記憶された台番号の洗濯機に、開錠指令情報を送信する開錠指令情報送信手段とを備えた
ことを特徴とするコインランドリー利用システム。
【請求項３】
前記洗濯機は、
洗濯開始時に開始情報をサーバに送信する開始情報送信手段を備え、
前記サーバは、
少なくとも前記洗濯機から受信した開始情報及び前記携帯端末機から受信した開錠要求情報に基づいて、前記コインランドリーに設置された複数台の洗濯機の利用状況を示す利用状況情報を生成する利用状況情報生成手段と、
利用者の操作によって前記携帯端末機から送信された利用状況通知要求情報を受信した場合に、前記利用状況情報生成手段により生成された利用状況情報を、前記携帯端末機に送信する利用状況情報送信手段とを備えた
ことを特徴とする請求項１又は２に記載のコインランドリー利用システム。
【請求項４】
前記洗濯機は、
洗濯開始時に開始情報をサーバに送信する開始情報送信手段を備え、
前記サーバは、
前記洗濯機から受信した終了情報及び前記携帯端末機から受信した開錠要求情報に基づいて、前記洗濯機において洗濯が終了してから扉が開錠されるまでの経過時間を示す経過時間情報を生成する経過時間情報生成手段と、
前記経過時間情報生成手段により生成された経過時間情報を、前記開錠要求情報の送信元である携帯端末機の端末識別情報に対応付けて記憶する経過時間情報記憶手段と、
携帯端末機の端末識別情報に対応付けて前記経過時間情報記憶手段に記憶された経過時間情報に基づいて、洗濯の終了を予告するための予告情報を該携帯端末機に送信する送信時間を決定する送信時間決定手段と、
前記洗濯機から開始情報を受信してから、前記送信時間決定手段により決定された送信時間が経過したとき、前記洗濯機の台番号に対応付けて前記記憶手段に記憶された端末識別情報の携帯端末機に、予告情報を送信する予告情報送信手段とを備えた
ことを特徴とする請求項１〜３のいずれか１に記載のコインランドリー利用システム。
【発明の詳細な説明】
【技術分野】
【０００１】
本発明は、コインランドリー利用システムに関する。
【背景技術】
【０００２】
従来から、コイン式の洗濯機や乾燥機等が複数台設置されたコインランドリーは、都市部を中心として広く普及している。コインランドリーは、一般的に、無人営業の形態がとられていて、２４時間いつでも所謂セルフサービスで衣類の洗濯や乾燥等を行うことができる。
【０００３】
従来のシステムとして、例えば、洗濯や乾燥等の処理が終了したとき、利用者が所持する携帯電話機等に処理の終了を通知するシステムが存在する（例えば、特許文献１参照）。
このシステムによれば、利用者は、携帯電話機等への通知によって洗濯や乾燥等の終了を知ることができるため、例えば、終了するまでの時間で買い物をしたり、自宅に戻ったりするというように、コインランドリーを離れて待ち時間を利用することが可能になる。
【０００４】
【特許文献１】特開２００２−２３９３００号公報
【発明の開示】
【発明が解決しようとする課題】
【０００５】
しかしながら、特許文献１に記載のシステムでは、洗濯や乾燥等が行われているときに、コインランドリーから離れた場合、洗濯物が盗難されるおそれがあった。また、洗濯物の盗難を防止するために洗濯機を施錠可能とすると、悪戯や合鍵作製等の目的で鍵が盗まれるおそれがあった。また、鍵は紛失され易いという問題があり、鍵を紛失した場合には、利用者は態々コインランドリーの管理者に連絡して洗濯機を開けてもらわなければならないという問題があった。
【０００６】
さらに、洗濯や乾燥等の処理中に施錠される洗濯機が存在するが、処理終了時には開錠されるため、洗濯や乾燥等の終了時にはコインランドリーに戻らなければならず、安心してコインランドリーを離れることができないという問題があった。また、洗濯や乾燥等の終了時にコインランドリーに戻らなければならないため、待ち時間中に行うことができることに時間的な制約が加わり、待ち時間を有効に活用することができないという問題があった。
【０００７】
本発明は、上述した課題に鑑みてなされたものであり、その目的は、洗濯物の盗難を防止することが可能であるとともに、利用者が安心して待ち時間等を有効活用することが可能となるコインランドリー利用システムを提供することにある。
【課題を解決するための手段】
【０００８】
以上のような目的を達成するために、本発明は、以下のようなものを提供する。
（１）  コインランドリーに設置された複数台の洗濯機と、上記洗濯機及び携帯端末機と情報の送受信を行うことが可能なサーバとを備えたコインランドリー利用システムであって、
上記洗濯機は、
洗濯開始時に洗濯物出入用の扉の施錠を行う施錠手段と、
洗濯終了時に終了情報をサーバに送信する終了情報送信手段と、
上記サーバから開錠指令情報を受信した際に上記扉の開錠を行う開錠手段とを備え、
上記サーバは、
上記携帯端末機から洗濯機の台番号を受信した場合に、上記携帯端末機の端末識別情報に対応付けて、上記台番号を記憶する記憶手段と、
上記洗濯機から終了情報を受信した場合に、上記洗濯機の台番号に対応付けて上記記憶手段に記憶された端末識別情報の携帯端末機に、洗濯終了通知情報を送信する洗濯終了通知情報送信手段と、
上記携帯端末機から開錠要求情報を受信した場合に、その携帯端末機の端末識別情報に対応付けて上記記憶手段に記憶された台番号の洗濯機に、開錠指令情報を送信する開錠指令情報送信手段とを備えた
ことを特徴とするコインランドリー利用システム。
【０００９】
（１）の発明によれば、利用者は、以下の手順でコインランドリーを利用することが可能になる。
まず、利用者は、利用する洗濯機の台番号を、携帯端末機（例えば携帯電話機等）を用いてサーバに送信する。サーバは、その台番号を、携帯端末機の端末識別情報（例えばメールアドレス等）に対応付けて記憶する。
次に、利用者は、その洗濯機で洗濯を開始する。すると、洗濯機は、洗濯物出入用の扉を施錠する。
その後、洗濯機は、洗濯終了時に、サーバへ終了情報を送信し、サーバは、該終了情報の送信元の洗濯機の台番号に対応付けて記憶している端末識別情報の携帯端末機に対して、洗濯終了通知情報を送信する。利用者は、携帯端末機に届いた洗濯終了通知情報によって、洗濯の終了を知ることができる。ただし、洗濯終了時点では洗濯機の扉は開錠されない。
次に、利用者は、携帯端末機からサーバへ開錠要求情報を送信する。サーバは、携帯端末機から開錠要求情報を受信すると、その送信元の携帯端末機の端末識別情報に対応付けて記憶した台番号の洗濯機に、開錠指令情報を送信する。洗濯機は、開錠指令情報を受信すると、扉を開錠する。その結果、利用者は、洗濯機から洗濯物を取り出すことができる。
【００１０】
このように、（１）の発明によれば、携帯端末機に届く洗濯終了通知情報によって、利用者は、洗濯の終了を知ることができ、さらに利用者が洗濯物を取り出すときまで洗濯機の扉を施錠した状態にすることができるため、洗濯物の盗難を防止することが可能であるとともに、利用者が安心して待ち時間等を有効活用することが可能となる。また、鍵として携帯端末機を使用するため、鍵の盗難や紛失等を防止することが可能であり、利便性に優れる。
【００１１】
さらに、本発明は、以下のようなものを提供する。
（２）  コインランドリーに設置された複数台の洗濯機と、上記洗濯機及び携帯端末機と情報の送受信を行うことが可能なサーバとを備えたコインランドリー利用システムであって、
上記洗濯機は、
料金の支払いを受けた場合に暗証番号を生成する暗証番号生成手段と、
上記暗証番号生成手段により生成された暗証番号を表示する暗証番号表示手段と、
上記暗証番号生成手段により生成された暗証番号をサーバに送信する暗証番号送信手段と、
洗濯開始時に洗濯物出入用の扉の施錠を行う施錠手段と、
洗濯終了時に終了情報をサーバに送信する終了情報送信手段と、
上記サーバから開錠指令情報を受信した際に上記扉の開錠を行う開錠手段とを備え、
上記サーバは、
上記洗濯機から暗証番号を受信した場合に、洗濯機の台番号と暗証番号とを対応付けて記憶する暗証番号記憶手段と、
上記携帯端末機から洗濯機の台番号及び暗証番号を受信した場合に、受信した暗証番号と、受信した台番号に対応付けて上記暗証番号記憶手段に記憶された暗証番号とに基づいて利用者の認証を行う第１認証手段と、
上記第１認証手段による利用者の認証が完了した場合に、上記携帯端末機から受信した洗濯機の台番号及び暗証番号を、送信元の携帯端末機の端末識別情報に対応付けて記憶する記憶手段と、
上記洗濯機から終了情報を受信した場合に、該洗濯機の台番号に対応付けて上記記憶手段に記憶された端末識別情報の携帯端末機に、洗濯終了通知情報を送信する洗濯終了通知情報送信手段と、
上記携帯端末機から開錠要求情報及び暗証番号を受信した場合に、その暗証番号と上記記憶手段に記憶された暗証番号とに基づいて利用者の認証を行う第２認証手段と、
上記第２認証手段による利用者の認証が完了した場合に、上記開錠要求情報の送信元の携帯端末機の端末識別情報に対応付けて上記記憶手段に記憶された台番号の洗濯機に、開錠指令情報を送信する開錠指令情報送信手段とを備えた
ことを特徴とするコインランドリー利用システム。
【００１２】
（２）の発明によれば、利用者は、以下の手順でコインランドリーを利用することが可能になる。
まず、利用者は、利用する洗濯機に、硬貨の投入等によって料金の支払いを行う。すると、洗濯機は、暗証番号（例えば、複数桁の数字等）を生成して表示するとともに、その暗証番号をサーバに送信する。サーバは、洗濯機の台番号と暗証番号とを対応付けて記憶する。
次に、利用者は、利用する洗濯機の台番号と暗証番号とを、携帯端末機を用いてサーバに送信する。このとき、サーバは、携帯端末機から受信した暗証番号と、その台番号の洗濯機から受信した暗証番号とが合致するか否かを判断し、合致する場合には、その台番号と暗証番号とを、送信元の携帯端末機の端末識別情報に対応付けて記憶する。
次に、利用者は、その洗濯機で洗濯を開始する。すると、洗濯機は、洗濯物出入用の扉を施錠する。
その後、洗濯機は、選択終了時に、サーバに終了情報を送信し、サーバは、該終了情報の送信元の洗濯機の台番号に対応付けて記憶している端末識別情報の携帯端末機に対して、洗濯終了通知情報を送信する。利用者は、携帯端末機に届いた洗濯終了通知情報によって、洗濯の終了を知ることができる。ただし、洗濯終了時点では洗濯機の扉は開錠されない。
次に、利用者は、携帯端末機からサーバへ開錠要求情報及び暗証番号を送信する。サーバは、携帯端末機から開錠要求情報及び暗証番号を受信すると、その暗証番号と、その端末識別情報に対応付けて記憶した暗証番号とに基づいて認証を行い、認証が行われた場合に、その端末識別情報に対応付けて記憶した台番号の洗濯機に、開錠指令情報を送信する。洗濯機は、開錠指令情報を受信すると、扉を開錠する。その結果、利用者は、洗濯機から洗濯物を取り出すことができる。
【００１３】
このように、（２）の発明によれば、携帯端末機に届く洗濯終了通知情報によって、利用者は、洗濯の終了を知ることができ、さらに利用者が洗濯物を取り出すときまで洗濯機の扉を施錠した状態にすることができるため、洗濯物の盗難を防止することが可能であるとともに、利用者が安心して待ち時間等を有効活用することが可能となる。また、鍵として携帯端末機を使用するため、鍵の盗難や紛失等を防止することが可能であり、利便性に優れる。さらに、暗証番号によって、洗濯開始時及び洗濯終了時に利用者の認証を行うため、携帯端末機の盗難や紛失があったとしても、洗濯物が盗難されるおそれがない。
【００１４】
さらに、本発明は、以下のようなものを提供する。
（３）  上記（１）又は（２）のコインランドリー利用システムであって、
上記洗濯機は、
洗濯開始時に開始情報をサーバに送信する開始情報送信手段を備え、
上記サーバは、
少なくとも上記洗濯機から受信した開始情報及び上記携帯端末機から受信した開錠要求情報に基づいて、上記コインランドリーに設置された複数台の洗濯機の利用状況を示す利用状況情報を生成する利用状況情報生成手段と、
利用者の操作によって上記携帯端末機から送信された利用状況通知要求情報を受信した場合に、上記利用状況情報生成手段により生成された利用状況情報を、上記携帯端末機に送信する利用状況情報送信手段とを備えた
ことを特徴とする。
【００１５】
（３）の発明によれば、サーバは、少なくとも洗濯開始時に洗濯機から送信される開始情報及び携帯端末機から受信した開錠要求情報に基づいて、コインランドリーに設置された複数台の洗濯機の利用状況を示す利用状況情報を生成し、携帯端末機から利用状況通知要求情報を受信したとき、その携帯端末機に対して、利用状況情報を送信する。
従って、利用者は、コインランドリーに行く前に、サーバに対して利用状況通知要求情報を送信することにより、サーバから利用状況情報を取得して、洗濯機の空き状況を把握することができる。その結果、コインランドリーで洗濯機の空き待ちをするということがなくなり、時間をより有効活用することが可能になる。
【００１６】
さらに、本発明は、以下のようなものを提供する。
（４）  上記（１）〜（３）のいずれか１のコインランドリー利用システムであって、
上記洗濯機は、
洗濯開始時に開始情報をサーバに送信する開始情報送信手段を備え、
上記サーバは、
上記洗濯機から受信した終了情報及び上記携帯端末機から受信した開錠要求情報に基づいて、上記洗濯機において洗濯が終了してから扉が開錠されるまでの経過時間を示す経過時間情報を生成する経過時間情報生成手段と、
上記経過時間情報生成手段により生成された経過時間情報を、上記開錠要求情報の送信元である携帯端末機の端末識別情報に対応付けて記憶する経過時間情報記憶手段と、
携帯端末機の端末識別情報に対応付けて上記経過時間情報記憶手段に記憶された経過時間情報に基づいて、洗濯の終了を予告するための予告情報を該携帯端末機に送信する送信時間を決定する送信時間決定手段と、
上記洗濯機から開始情報を受信してから、上記送信時間決定手段により決定された送信時間が経過したとき、上記洗濯機の台番号に対応付けて上記記憶手段に記憶された端末識別情報の携帯端末機に、予告情報を送信する予告情報送信手段とを備えた
ことを特徴とするコインランドリー利用システム。
【００１７】
（４）の発明によれば、洗濯が終了してから扉が開錠されるまでの経過時間を示す経過時間情報を、携帯端末機の端末識別情報ごとに生成、記憶する。そして、その経過時間情報に基づいて、洗濯の終了を予告するための予告情報を送信する送信時間を決定し、洗濯機で洗濯が開始されてから送信時間が経過したとき予告情報を携帯端末機に送信する。
従って、洗濯が終了してから利用者が洗濯物を取りに来るまでの時間の履歴を利用者ごとに情報として収集しておき、例えば、洗濯物を取りに来るのが遅い利用者には、送信時間を短く設定して、早めに予告情報を送信し、その一方で、洗濯物を取りに来るのが早い利用者には、送信時間を長く設定して、遅めに予告情報を送信するというように、各利用者に応じたタイミングで予告情報を送信することができる。その結果、洗濯が終了してから当該洗濯機内に洗濯物が放置される時間の短縮を図ることができ、洗濯機の稼働率を向上させることができる。
【発明の効果】
【００１８】
本発明によれば、洗濯物の盗難を防止することが可能であるとともに、利用者が安心して待ち時間等を有効活用することが可能となる。
【発明を実施するための最良の形態】
【００１９】
図１は、本発明の一実施形態に係るコインランドリー利用システムのネットワーク構成図である。
コインランドリー利用システム５００は、コインランドリー（図示せず）に設置された１０台の洗濯機１００（図中では３台のみを示す）と、複数台の洗濯機１００とＬＡＮ（Local Area Network）により接続されたサーバ２００とを備えている。サーバ２００は、インターネットを介して、利用者が所持する携帯電話機３００との電子メールの送受信等が可能である。
【００２０】
本実施形態では、洗濯機１００がコインランドリーに設置されている場合について説明するが、本発明において、洗濯機は、例えば、乾燥機付洗濯機、乾燥機等を含む概念である。また、携帯電話機３００は、本発明に係る携帯端末機に相当するものである。本発明に係る携帯端末機は、この例に限定されず、例えば、パーソナル・ディジタル・アシスタンツ、コインランドリー利用システム５００専用の携帯端末機等を挙げることができる。
【００２１】
洗濯機１００は、その前面中央に、洗濯物出入用の扉１０１が設けられている。扉１０１は、後述する電子錠１１８（図示せず）によって施錠可能である。
扉１０１の左上には、４桁の数字を表示可能な７セグメント表示器１０２が設けられている。７セグメント表示器１０２は、４桁の数字からなる暗証番号を表示可能である。
扉１０１の右上には、硬貨投入口１０３が設けられている。硬貨投入口１０３に投入された硬貨は、後述する硬貨識別器１０４（図示せず）によって検出される。
扉１０１の上方には、各種ランプ１１４が設けられている。各種ランプ１１４は、その点灯／消灯によって洗濯機１００の動作工程を表すものである。
硬貨投入口１０３の下方には、各種ボタン１０８が設けられている。各種ボタン１０８は、例えば、洗濯開始の指示や、洗濯条件や環境等の設定に関する指示等を入力するためのものである。
【００２２】
携帯電話機３００は、液晶パネル３０６と操作部３０８とを備えていて、利用者は、液晶パネル３０６に表示される画像を見ながら、操作部３０８を操作することにより、各種の指示を入力することができる。
【００２３】
図２は、図１に示した洗濯機１００の内部構成を示したブロック図である。
洗濯機１００は、マイクロコンピュータ１２０を備え、マイクロコンピュータ１２０にはメモリ１２２が接続されている。また、マイクロコンピュータ１２０には、硬貨識別器１０４、各種センサ１０６及び各種ボタン１０８が接続されている。硬貨識別器１０４は、硬貨投入口１０３に投入された硬貨を検出したときに検出信号をマイクロコンピュータ１２０に送信する。各種センサ１０６は、運転状態を検出するためのセンサ等であり、検出結果に応じて検出信号をマイクロコンピュータ１２０に送信する。各種ボタン１０８は、上述したような各種の指示を入力するためのボタンであり、利用者によって操作されたときに入力信号をマイクロコンピュータ１２０に送信する。
【００２４】
マイクロコンピュータ１２０は、硬貨識別器１０４又は各種センサ１０６から受信した検出信号や、各種ボタン１０８から受信した入力信号等に基づいて、メモリ１２２からプログラムを読み出して実行することにより、洗濯機１００の動作全体を制御する。
【００２５】
マイクロコンピュータ１２０には、モータ等の駆動部１１２、各種ランプ１１４、７セグメント表示器１０２、電子錠１１８が接続されている。駆動部１１２は、負荷駆動回路１１０によってその動作が制御され、電子錠１１８は、電子錠ロック／アンロック制御回路１１６によって施錠／開錠が制御される。
【００２６】
マイクロコンピュータ１２０には、通信用インターフェイス回路１２４が接続されている。マイクロコンピュータ１２０は、通信用インターフェイス回路１２４によりＬＡＮを介してサーバ２００と通信が可能である。
【００２７】
メモリ１２２には、例えば、上述した各種の動作等を制御するためのプログラム、所定の数値範囲から乱数を抽出することにより暗証番号を生成するプログラム等が記憶されている。また、メモリ１２２には、洗濯機１００ごとに割り当てられた台番号が記憶されている。台番号は、洗濯機１００の製造時に割り当てられることとしてもよく、コインランドリーの管理者等によってサーバ２００又は各種ボタン１０８等から入力されることとしてもよい。なお、メモリ１２２には、洗濯機１００の識別番号が記憶されていて、サーバ２００に洗濯機１００の識別番号が送信されたときに、サーバ２００が、洗濯機１００の識別番号を台番号に変換することとしてもよい。
【００２８】
図３は、図１に示したサーバ２００の内部構成を示したブロック図である。
サーバ２００は、演算処理装置としてのＣＰＵ２０１、一時記憶領域としてのＲＡＭ２０３、ＬＡＮを介した洗濯機１００との通信及びインターネットを介した携帯電話機３００との通信を行うための通信用インターフェイス回路２０４、並びに、ハードディスク２０５を備えている。
【００２９】
ハードディスク２０５には、各種のプログラムやデータが記憶され、その他にも、暗証番号登録ファイル２１０、利用者登録データファイル２２０、利用状況ファイル２３０及び経過時間履歴ファイル２４０が格納されている。各ファイル２１０、２２０、２３０、２４０については、後で詳述することにする。
【００３０】
図４は、図１に示した携帯電話機３００の内部構成を示したブロック図である。
携帯電話機３００は、操作部３０８、液晶パネル３０６、無線部３１０、音声回路３１２、スピーカ３１４、マイクロフォン３１６、送受信アンテナ３１８、不揮発性メモリ３２０及び二次電池３２４を備えている。液晶パネル３０６は、相手先の名称を表す画像を表示可能な表示手段として機能するものである。
【００３１】
無線部３１０は、マイクロコンピュータ３２２により制御されて、送受信アンテナ３１８を通じて電波を媒体として基地局に対して送受信する。音声回路３１２は、無線部３１０からマイクロコンピュータ３２２を通じて出力された音声信号を送信信号としてマイクロコンピュータ３２２を通じて無線部３１０に出力する。
【００３２】
スピーカ３１４は、音声回路３１２から出力された受信信号を受信音声に変換して出力し、マイクロフォン３１６は、使用者から発せられた送信音声を音声信号に変換して音声回路３１２に出力する。
【００３３】
不揮発性メモリ３２０は、例えば、電話帳データベース等の各種データや、各種プログラムを不揮発的に記憶する。マイクロコンピュータ３２２は、ＣＰＵ、ＲＯＭ及びＲＡＭから構成されたもので、例えば、電話の発着信処理、電子メールの作成送受信処理、インターネット処理等を行う。なお、電子メールの送受信及びインターネットによるデータの送受信は、マイクロコンピュータ３２２が無線部３１０及び送受信アンテナ３１８を介して行う。二次電池３２４は、各回路に電力を供給する。
【００３４】
次に、サーバ２００が備えるハードディスク２０５内に格納される各ファイル２１０、２２０、２３０、２４０について説明することにする。
図５は、暗証番号登録ファイル２１０の一例を示す説明図である。なお、図５〜図８において、“−”は、データが格納されていないことを示す。
暗証番号登録ファイル２１０は、コインランドリーに設置された１０台の洗濯機１００の台番号（本実施形態においては“００１”〜“０１０”）ごとに、各洗濯機１００から送信された暗証番号を記憶するファイルである。
暗証番号は、サーバ２００が洗濯機１００から暗証番号を受信したとき、洗濯機１００の台番号に対応付けて暗証番号登録ファイル２１０に記憶される一方、サーバ２００が洗濯機１００に対して開錠指令信号を送信したとき、その洗濯機１００の台番号に対応する暗証番号が暗証番号登録ファイル２１０から消去される。
【００３５】
図６は、利用者登録データファイル２２０の一例を示す説明図である。
利用者登録データファイル２２０は、携帯電話機３００の端末識別情報（本実施形態においては、メールアドレス）ごとに、携帯電話機３００から受信した利用者に関する情報を記憶するファイルである。
端末識別情報及び個人情報（氏名・連絡先等）は、携帯電話機３００から利用者登録申込を受け付けたときに利用者登録データファイル２２０に記憶される。
台番号及び暗証番号は、携帯電話機３００から台番号及び暗証番号を受信したとき、携帯電話機３００の端末識別情報に対応付けて利用者登録データファイル２２０に記憶される一方、サーバ２００が携帯電話機３００から開錠要求情報を受信したことを契機として洗濯機１００に開錠指令情報を送信したとき、その携帯電話機３００の端末識別情報に対応する台番号及び暗証番号が利用者登録データファイル２２０から消去される。
【００３６】
図７は、利用状況ファイル２３０の一例を示す説明図である。
利用状況ファイル２３０は、コインランドリーに設置された１０台の洗濯機１００の利用状況を示す利用状況情報を記憶するファイルである。利用状況情報は、洗濯機１００からの開始情報受信の記録と終了情報受信の記録とからなる。
洗濯機１００から開始情報を受信したとき、その洗濯機１００の台番号に対応した「開始情報受信」は“−”から“○”に更新される。洗濯機１００から終了情報を受信したとき、その洗濯機１００の台番号に対応した「終了情報受信」は“−”から“○”に更新される。洗濯機１００に開錠指令情報を送信したとき、その洗濯機１００の台番号に対応した「開始情報受信」及び「終了情報受信」は、“○”から“−”に更新される。
従って、「開始情報受信」“−”及び「終了情報受信」“−”の利用状況情報は、その洗濯機１００が洗濯中ではなく、且つ、扉１０１が開錠されていること、すなわち、その洗濯機１００が利用可能であることを示す。
「開始情報受信」“○”及び「終了情報受信」“−”の利用状況情報は、その洗濯機１００が洗濯中であり、扉１０１が施錠されていること、すなわち、その洗濯機１００が利用されていることを示す。
「開始情報受信」“○”及び「終了情報受信」“○”の利用状況情報は、その洗濯機１００が洗濯中ではなく、且つ、扉１０１が施錠されていること、すなわち、その洗濯機１００での洗濯は終了しているが利用者が洗濯物を取りに来ていないことを示す。
【００３７】
図８は、経過時間履歴ファイル２４０の一例を示す説明図である。
経過時間履歴ファイル２４０は、洗濯機１００から終了情報を受信してから、携帯電話機３００から開錠要求情報を受信するまでの経過時間を、携帯電話機３００の端末識別情報ごとに記憶するファイルである。
【００３８】
次に、コインランドリー利用システム５００において行われる処理について、図９〜図２１を用いて説明することにする。
図９は、利用者登録時に携帯電話機及びサーバにおいて行われる処理を示すフローチャートである。図１０は、図９に示す処理が行われるときに携帯電話機の液晶パネルに表示される画面画像を示す図である。
【００３９】
携帯電話機３００のマイクロコンピュータ３２２は、利用者による操作部３０８の操作に応じて、インターネットを介して、サーバ２００にアクセスする（ステップＳ３０１）。
サーバ２００のＣＰＵ２０１は、携帯電話機３００からのアクセスを受けると、ハードディスク２０５から、液晶パネル３０６にウェブページを表示させるためのＨＴＭＬデータや画像データ等（以下、ウェブページデータともいう）を抽出し、携帯電話機３００に送信する（ステップＳ２０１）。
【００４０】
携帯電話機３００のマイクロコンピュータ３２２は、サーバ２００からウェブページデータを受信すると、液晶パネル３０６にウェブページを表示する（ステップＳ３０２）。
図１０（ａ）は、ステップＳ３０２の処理を行った結果、液晶パネル３０６に表示される画面画像である。この画面画像は、利用者登録を行うためのエントリーシートであり、メールアドレス及び個人情報（氏名、電話番号）の入力欄と、送信ボタンとを有している。このとき、利用者は、操作部３０８を操作して、各入力欄に、メールアドレス及び個人情報を入力することができる。
【００４１】
ステップＳ３０２の処理の後、携帯電話機３００のマイクロコンピュータ３２２は、操作部３０８の操作によるメールアドレス及び個人情報の入力を受け付け（ステップＳ３０３）、操作部３０８の操作により送信ボタンが押下されたときに、メールアドレス及び個人情報をサーバ２００に送信する（ステップＳ３０４）。
【００４２】
サーバ２００のＣＰＵ２０１は、携帯電話機３００からメールアドレス及び個人情報を受信したとき、ハードディスク２０５に格納された利用者登録データファイル２２０（図６参照）に、メールアドレス及び個人情報を記憶する（ステップＳ２０２）。その後、ＣＰＵ２０１は、ハードディスク２０５からウェブページデータを抽出し、携帯電話機３００に送信する（ステップＳ２０３）。
【００４３】
携帯電話機３００のマイクロコンピュータ３２２は、サーバ２００からウェブページデータを受信すると、液晶パネル３０６にウェブページを表示する（ステップＳ３０５）。
図１０（ｂ）は、ステップＳ３０５の処理を行った結果、液晶パネル３０６に表示される画面画像である。この画面画像では、利用者の登録が完了したことと、後で電子メールを送信することとが文字情報で示されている。
【００４４】
次に、サーバ２００のＣＰＵ２０１は、利用者登録データファイル２２０（図６参照）に記憶されたメールアドレスに基づいて、携帯電話機３００に電子メールを送信する（ステップＳ２０４）。
【００４５】
携帯電話機３００のマイクロコンピュータ３２２は、サーバ２００から電子メールを受信したとき、操作部３０８の操作に応じて、液晶パネル３０６にメール内容を表示する（ステップＳ３０６）。
図１０（ｃ）は、ステップＳ３０６の処理を行った結果、液晶パネル３０６に表示される画面画像である。この画面画像では、利用者の登録が完了したことが示されている。また、この電子メールによって、サーバ２００へのメールアドレスが携帯電話機３００に通知されたことになる。
【００４６】
図１１は、利用者が利用状況を確認するときに携帯電話機及びサーバにおいて行われる処理を示すフローチャートである。図１２は、図１１に示す処理が行われるときに携帯電話機の液晶パネルに表示される画面画像を示す図である。
【００４７】
まず、携帯電話機３００のマイクロコンピュータ３２２は、利用者による操作部３０８の操作に応じて、図９のステップＳ３０６において通知されたメールアドレスに基づいて、サーバ２００に空メールを送信する（ステップＳ３１１）。
図１２（ａ）は、ステップＳ３１１の処理を行うときに液晶パネル３０６に表示される画面画像である。この画面画像は、メール作成用の画像であり、宛先の欄には、サーバ２００のメールアドレスが入力されている。図１２（ａ）に示す画面画像が液晶パネル３０６に表示されているときに、利用者は、操作部３０８を操作して送信ボタンを押下することにより、サーバ２００に空メールを送信することができる。この空メールは、利用状況通知要求情報に相当するものである。
【００４８】
サーバ２００のＣＰＵ２０１は、携帯電話機３００から空メール（利用状況通知要求情報）を受信したとき、ハードディスク２０５に格納された利用状況ファイル２３０（図７参照）から、利用状況情報を抽出する（ステップＳ２１１）。そして、ＣＰＵ２０１は、利用状況情報を含む電子メールを携帯電話機３００に送信する（ステップＳ２１２）。
このとき、ＣＰＵ２０１は、利用状況情報送信手段として機能する。
【００４９】
携帯電話機３００のマイクロコンピュータ３２２は、利用状況情報を含む電子メールをサーバ２００から受信すると、利用者による操作部３０８の操作に応じて、液晶パネル３０６に利用状況情報を表示する（ステップＳ３１２）。
図１２（ｂ）は、ステップＳ３１２の処理を行った結果、液晶パネル３０６に表示される画面画像である。この画面画像では、コインランドリーに設置された洗濯機１００の台数、空き台数、使用中の台数、運転中の台数が示されている。
また、画面画像の下部には、「ご利用される方はこちら」という文字情報が表示され、「こちら」の部分には下線が付されている。下線部には、ハイパーリンクが設定されていて、利用者が操作部３０８を操作してハイパーリンクを押下したときには、後述する図１４（ａ）に示す画像が液晶パネル３０６に表示されることになる。
【００５０】
図１３は、洗濯開始時に携帯電話機、サーバ及び洗濯機において行われる処理を示すフローチャートである。図１４は、図１３に示す処理が行われるときに携帯電話機の液晶パネルに表示される画面画像を示す図である。図１５は、送信時間決定用テーブルの一例を示す図である。
【００５１】
まず、洗濯機１００のマイクロコンピュータ１２０は、硬貨投入口１０３への硬貨の投入を受け付ける（ステップＳ１２１）。硬貨投入口１０３に投入された硬貨を検出した際に硬貨識別器１０４から発せられる検出信号を受信した後に、マイクロコンピュータ１２０は、メモリ１２２に記憶された乱数発生プログラムを読み出して実行し、所定の数値範囲（本実施形態では、“００００”〜“９９９９”）から１つの乱数を抽出することにより、暗証番号を生成する（ステップＳ１２２）。このとき、マイクロコンピュータ１２０は、暗証番号生成手段として機能する。
【００５２】
次に、マイクロコンピュータ１２０は、通信用インターフェイス回路１２４により、ＬＡＮを介して、暗証番号をサーバ２００に送信する（ステップＳ１２３）。
このとき、マイクロコンピュータ１２０は、暗証番号送信手段として機能する。
【００５３】
続いて、マイクロコンピュータ１２０は、７セグメント表示器１０２に暗証番号を表示する（ステップＳ１２４）。なお、一定期間、７セグメント表示器１０２に暗証番号を表示することとしてもよく、利用者による操作部３０８の操作に応じて暗証番号の表示を終了することとしてもよい。
【００５４】
サーバ２００のＣＰＵ２０１は、洗濯機１００から暗証番号を受信したとき、その暗証番号を、洗濯機１００の台番号に対応付けて、ハードディスク２０５に格納された暗証番号登録ファイル２１０（図５参照）に記憶する（ステップＳ２２１）。ハードディスク２０５は、暗証番号記憶手段として機能するものである。
【００５５】
携帯電話機３００のマイクロコンピュータ３２２は、洗濯機１００の台番号及び暗証番号の入力を受け付ける（ステップＳ３２１）。
図１４（ａ）は、ステップＳ３２１の処理を行うときに液晶パネル３０６に表示される画面画像である。この画面画像は、図１２（ｂ）に示した画面画像のハイパーリンクが、利用者による操作部３０８の操作に応じて押下された際に表示される画像である。
【００５６】
画面画像は、台番号及び暗証番号の入力欄と、送信ボタンとを有している。このとき、利用者は、操作部３０８を操作して、利用する洗濯機１００の台番号と、その洗濯機１００の７セグメント表示器１０２に表示された暗証番号とを入力することができる。
【００５７】
その後、携帯電話機３００のマイクロコンピュータ３２２は、操作部３０８の操作により送信ボタンが押下されたときに、台番号及び暗証番号をサーバ２００に送信する（ステップＳ３２２）。
【００５８】
次に、サーバ２００のＣＰＵ２０１は、第１認証処理を行う（ステップＳ２２２）。この処理において、ＣＰＵ２０１は、ステップＳ３２２において携帯電話機３００から送信された暗証番号と、携帯電話機３００から送信された台番号に対応付けて暗証番号登録ファイル２１０（図５参照）に記憶された暗証番号とが合致するか否かを判断することにより、利用者の認証を行う。このとき、ＣＰＵ２０１は、第１認証手段として機能する。
なお、以下においては、ステップＳ２２２において利用者の認証が完了した場合について説明するが、利用者の認証がなされなかった場合には、例えば、洗濯機１００に硬貨の返却の処理等を行わせ、本処理を終了する。
【００５９】
ステップＳ２２２において利用者の認証が完了した場合、ＣＰＵ２０１は、携帯電話機３００から受信した台番号及び暗証番号を、携帯電話機３００のメールアドレスに対応付けて利用者登録データファイル２２０（図６参照）に記憶する（ステップＳ２２３）。
ハードディスク２０５は、記憶手段として機能するものである。
【００６０】
次に、サーバ２００のＣＰＵ２０１は、ハードディスク２０５から、利用許可を示すウェブページデータを抽出し、携帯電話機３００に送信する（ステップＳ２２４）。
携帯電話機３００のマイクロコンピュータ３２２は、サーバ２００からウェブページデータを受信すると、液晶パネル３０６にウェブページを表示する（ステップＳ３２３）。
図１４（ｂ）は、ステップＳ３２３の処理が行われた結果、液晶パネル３０６に表示される画面画像である。この画面画像では、認証が完了し、洗濯機１００の利用が許可されたことが示されている。
【００６１】
続いて、サーバ２００のＣＰＵ２０１は、洗濯機１００に対して、利用許可情報を送信する（ステップＳ２２５）。
洗濯機１００のマイクロコンピュータ１２０は、サーバ２００から利用許可情報を受信すると、各種ランプ１１４の点灯等を行って洗濯機１００が利用可能となったことを示し、利用者による各種ボタン１０８の操作に応じて、洗濯条件や環境等の設定を行う（ステップＳ１２５）。
【００６２】
その後、マイクロコンピュータ１２０は、利用者による各種ボタン１０８の操作に応じて、洗濯を開始する（ステップＳ１２６）。この処理において、マイクロコンピュータ１２０は、各種センサ１０６からの検出信号に基づいて洗濯物の容量を測定して洗濯所要時間を決定するとともに、負荷駆動回路１１０によって駆動部１１２の動作を制御し、洗濯を開始する。
【００６３】
次に、マイクロコンピュータ１２０は、サーバ２００に開始情報を送信する（ステップＳ１２７）。開始情報には、ステップＳ１２６において決定された洗濯所要時間を示す情報が含まれる。ステップＳ１２７の処理を実行するとき、マイクロコンピュータ１２０は、開始情報送信手段として機能する。
【００６４】
次に、マイクロコンピュータ１２０は、電子錠ロック／アンロック制御回路１１６の動作を制御し、電子錠１１８により扉１０１を施錠する（ステップＳ１２８）。電子錠１１８は、施錠手段として機能するものである。
【００６５】
サーバ２００のＣＰＵ２０１は、洗濯機１００から開始情報を受信したとき、洗濯機１００の台番号に対応付けて、利用状況ファイル２３０（図７参照）に開始情報受信を記録する（ステップＳ２２６）。次に、ＣＰＵ２０１は、経過時間履歴ファイル２４０（図８参照）から、洗濯機１００の利用者のメールアドレスに対応する経過時間情報を抽出する（ステップＳ２２７）。
【００６６】
次に、サーバ２００のＣＰＵ２０１は、経過時間情報が示す経過時間（経過時間情報が複数存在する場合には、経過時間の平均値）に基づいて、ハードディスク２０５に格納された送信時間決定用テーブルを参照し、洗濯の終了を予告するための予告情報を携帯電話機３００に送信する送信時間を決定する（ステップＳ２２８）。
図１５は、送信時間決定用テーブルの一例を示す図である。
送信時間決定用テーブルでは、経過時間Ｔ（分）に対応付けて、送信時間（分）が格納されていて、経過時間が多いほど、送信時間が短くなる。経過時間が１０分以下であれば、送信時間は、洗濯所要時間から１０分減じた時間となる。従って、予告情報は、洗濯終了の１０分前に携帯電話機３００に送信されることになる。一方、経過時間が１２０分以上であれば、送信時間は、洗濯所要時間から２５分減じた時間となる。従って、予告情報は、洗濯終了の２５分前に携帯電話機３００に送信されることになる。
このとき、ＣＰＵ２０１は、送信時間決定手段として機能する。
【００６７】
図１６は、予告情報を送信するときに携帯電話機及びサーバにおいて行われる処理を示すフローチャートである。図１７は、図１６に示す処理が行われるときに携帯電話機の液晶パネルに表示される画面画像を示す図である。
図１６に示す処理は、図１３のステップＳ１２６において洗濯が開始されてから、図１３のステップＳ２２８において決定された送信時間が経過したときに行われる。
【００６８】
まず、サーバ２００のＣＰＵ２０１は、送信時間が経過した洗濯機１００の台番号に対応付けて利用者登録ファイルに記憶されたメールアドレスに基づいて、携帯電話機３００に、予告情報を含む電子メールを送信する（ステップＳ２３１）。このとき、ＣＰＵ２０１は、予告情報送信手段として機能する。
【００６９】
携帯電話機３００のマイクロコンピュータ３２２は、予告情報を含む電子メールを受信したとき、利用者による操作部３０８の操作に応じて、予告情報を液晶パネル３０６に表示する（ステップＳ３３１）。
図１７は、ステップＳ３３１の処理が行われた結果、液晶パネル３０６に表示される画面画像である。この画面画像では、洗濯終了までの時間が示されている。
【００７０】
図１８は、洗濯終了時に携帯電話機、サーバ及び洗濯機において行われる処理を示すフローチャートである。図１９は、図１８に示す処理が行われるときに携帯電話機の液晶パネルに表示される画面画像を示す図である。
【００７１】
洗濯が終了すると、まず、洗濯機１００のマイクロコンピュータ１２０は、終了情報をサーバ２００に送信する（ステップＳ１４１）。このとき、マイクロコンピュータ１２０は、終了情報送信手段として機能する。
【００７２】
サーバ２００のＣＰＵ２０１は、洗濯機１００から終了情報を受信したとき、洗濯機１００の台番号に対応付けて、利用状況ファイル２３０（図７参照）に終了情報受信を記録する（ステップＳ２４１）。次に、ＣＰＵ２０１は、経過時間履歴ファイル２４０（図８参照）に、終了情報受信時刻を記録する（ステップＳ２４２）。
【００７３】
続いて、サーバ２００のＣＰＵ２０１は、洗濯機１００の台番号に対応付けて利用者登録データファイルに記憶されたメールアドレスに基づいて、携帯電話機３００に、洗濯終了通知情報を含む電子メールを送信する（ステップＳ２４３）。
このとき、ＣＰＵ２０１は、洗濯終了通知情報送信手段として機能する。
【００７４】
携帯電話機３００のマイクロコンピュータ３２２は、洗濯終了通知情報を含む電子メールを受信したとき、利用者による操作部３０８の操作に応じて、洗濯終了通知情報を液晶パネル３０６に表示する（ステップＳ３４１）。
図１９は、ステップＳ３４１の処理が行われた結果、液晶パネル３０６に表示される画面画像である。この画面画像では、洗濯が終了したことが示されている。
また、画面画像の下部には、「開錠する場合はこちら」という文字情報が表示され、「こちら」の部分には下線が付されている。下線部には、ハイパーリンクが設定されていて、利用者が操作部３０８を操作してハイパーリンクを押下したときには、後述する図２１に示す画像が液晶パネル３０６に表示されることになる。
【００７５】
図２０は、開錠時に携帯電話機、サーバ及び洗濯機において行われる処理を示すフローチャートである。図２１は、図２０に示す処理が行われるときに携帯電話機の液晶パネルに表示される画面画像を示す図である。
【００７６】
まず、携帯電話機３００のマイクロコンピュータ３２２は、暗証番号の入力を受け付ける（ステップＳ３５１）。
図２１は、ステップＳ３５１の処理を行うときに液晶パネル３０６に表示される画面画像である。この画面画像は、図１９に示す画面画像のハイパーリンクが、利用者による操作部３０８の操作に応じて押下された際に表示される画像である。
画面画像は、暗証番号の入力欄と、送信ボタンとを有している。このとき、利用者は、操作部３０８を操作して、暗証番号を入力することができる。
【００７７】
その後、携帯電話機３００のマイクロコンピュータ３２２は、操作部３０８の操作により送信ボタンが押下されたときに、暗証番号及び開錠要求情報をサーバ２００に送信する（ステップＳ３５２）。
【００７８】
サーバ２００のＣＰＵ２０１は、携帯電話機３００から暗証番号及び開錠要求情報を受信したとき、第２認証処理を行う（ステップＳ２５１）。この処理において、ＣＰＵ２０１は、受信した暗証番号と、携帯電話機３００のメールアドレスに対応付けて利用者登録データファイル２２０（図６参照）に記憶された暗証番号とが合致するか否かを判断することにより、利用者の認証を行う。このとき、ＣＰＵ２０１は、第２認証手段として機能する。なお、以下においては、ステップＳ２５１において利用者の認証が完了した場合について説明するが、利用者の認証がなされなかった場合には、例えば、携帯電話機３００にエラーメッセージを送信し、再度、携帯電話機３００からの暗証番号及び開錠要求情報の送信を受け付ける。
【００７９】
ステップＳ２５１において利用者の認証が完了した場合、ＣＰＵ２０１は、開錠要求情報の携帯電話機３００のメールアドレスに対応付けて利用者登録データファイル（図６参照）に記憶された台番号の洗濯機１００に対して、開錠指令情報を送信する（ステップＳ２５２）。このとき、ＣＰＵ２０１は、開錠指令情報送信手段として機能する。
【００８０】
洗濯機１００のマイクロコンピュータ１２０は、サーバ２００から開錠指令情報を受信したとき、電子錠ロック／アンロック制御回路１１６の動作を制御し、電子錠１１８により扉１０１を開錠する（ステップＳ１５１）。電子錠１１８は、開錠手段として機能するものである。
【００８１】
サーバ２００のＣＰＵ２０１は、ステップＳ２５２の処理の後、暗証番号登録ファイル２１０（図５参照）の暗証番号を消去する（ステップＳ２５３）。
次に、ＣＰＵ２０１は、利用者登録データファイル２２０（図６参照）の台番号及び暗証番号を消去する（ステップＳ２５４）。
【００８２】
次に、ＣＰＵ２０１は、利用状況ファイル２３０（図７参照）の受信記録を消去する（ステップＳ２５５）。続いて、ＣＰＵ２０１は、経過時間履歴ファイル２４０（図８参照）に、開錠要求情報受信時刻を記録する（ステップＳ２５６）。
続いて、ＣＰＵ２０１は、経過時間履歴ファイル２４０（図８参照）に記憶された終了情報受信時刻及び開錠要求情報受信時刻に基づいて、経過時間を示す経過時間情報を生成する（ステップＳ２５７）。このとき、ＣＰＵ２０１は、経過時間情報生成手段として機能する。次に、ＣＰＵ２０１は、ステップＳ２５７において生成された経過時間情報を、経過時間履歴ファイル２４０（図８参照）に記憶する（ステップＳ２５８）。ハードディスク２０５は、経過時間情報記憶手段として機能するものである。
【００８３】
以上、コインランドリー利用システム５００によれば、携帯電話機３００に届く洗濯終了通知情報によって（図１８、ステップＳ３４１参照）、利用者は、洗濯の終了を知ることができ（図１９参照）、さらに利用者が洗濯物を取り出すときまで洗濯機１００の扉１０１を施錠した状態にすることができるため（図２０参照）、洗濯物の盗難を防止することが可能であるとともに、利用者が安心して待ち時間等を有効活用することが可能となる。また、鍵として携帯電話機３００を使用するため、鍵の盗難や紛失等を防止することが可能であり、利便性に優れる。さらに、暗証番号によって、洗濯開始時及び洗濯終了時に利用者の認証が行われるため（図１３、図２０参照）、携帯電話機３００の盗難や紛失があったとしても、洗濯物が盗難されるおそれがない。
【００８４】
また、利用者は、コインランドリーに行く前に、サーバ２００に対して利用状況通知要求情報を送信することにより（図１１、ステップＳ３１１参照）、サーバ２００から利用状況情報を取得して（図１１、ステップＳ３１２参照）、洗濯機１００の空き状況を把握することができる（図１２（ｂ）参照）。その結果、コインランドリーで洗濯機１００の空き待ちをするということがなくなり、時間をより有効活用することができる。
【００８５】
また、洗濯が終了してから利用者が洗濯物を取りに来るまでの時間の履歴を利用者ごとに情報として収集しておき（図８参照）、洗濯物を取りに来るのが遅い利用者には、送信時間を短く設定して、早めに予告情報を送信し、その一方で、洗濯物を取りに来るのが早い利用者には、送信時間を短く設定して、遅めに予告情報を送信するというように（図１５参照）、各利用者に応じたタイミングで予告情報を送信することができる。その結果、洗濯が終了してから洗濯機１００内に洗濯物が放置される時間の短縮を図ることができ、洗濯機１００の稼働率を向上させることができる。
【００８６】
本実施形態に係るコインランドリー利用システム５００は、サーバ２００と、１つのコインランドリーに設置された複数台の洗濯機１００とを備えたものであるが、本発明において、コインランドリーの店舗数は、特に限定されるものではない。
【００８７】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００８８】
【図１】本発明の一実施形態に係るコインランドリー利用システムのネットワーク構成図である。
【図２】図１に示した洗濯機の内部構成を示したブロック図である。
【図３】図１に示したサーバの内部構成を示したブロック図である。
【図４】図１に示した携帯電話機の内部構成を示したブロック図である。
【図５】暗証番号登録ファイルの一例を示す説明図である。
【図６】利用者登録データファイルの一例を示す説明図である。
【図７】利用状況ファイルの一例を示す説明図である。
【図８】経過時間履歴ファイルの一例を示す説明図である。
【図９】利用者登録時に携帯電話機及びサーバにおいて行われる処理を示すフローチャートである。
【図１０】図９に示す処理が行われるときに携帯電話機の液晶パネルに表示される画面画像を示す図である。
【図１１】利用者が利用状況を確認するときに携帯電話機及びサーバにおいて行われる処理を示すフローチャートである。
【図１２】図１１に示す処理が行われるときに携帯電話機の液晶パネルに表示される画面画像を示す図である。
【図１３】洗濯開始時に携帯電話機、サーバ及び洗濯機において行われる処理を示すフローチャートである。
【図１４】図１３に示す処理が行われるときに携帯電話機の液晶パネルに表示される画面画像を示す図である。
【図１５】送信時間決定用テーブルの一例を示す図である。
【図１６】予告情報を送信するときに携帯電話機及びサーバにおいて行われる処理を示すフローチャートである。
【図１７】図１６に示す処理が行われるときに携帯電話機の液晶パネルに表示される画面画像を示す図である。
【図１８】洗濯終了時に携帯電話機、サーバ及び洗濯機において行われる処理を示すフローチャートである。
【図１９】図１８に示す処理が行われるときに携帯電話機の液晶パネルに表示される画面画像を示す図である。
【図２０】開錠時に携帯電話機、サーバ及び洗濯機において行われる処理を示すフローチャートである。
【図２１】図２０に示す処理が行われるときに携帯電話機の液晶パネルに表示される画面画像を示す図である。
【符号の説明】
【００８９】
１００  洗濯機
１０１  （洗濯物出入用の）扉
１０２  ７セグメント表示器
１０３  硬貨投入口
１０４  硬貨識別器
１０６  各種センサ
１０８  各種ボタン
１１０  負荷駆動回路
１１２  駆動部
１１４  各種ランプ
１１６  電子錠ロック／アンロック制御回路
１１８  電子錠
１２０  マイクロコンピュータ
１２２  メモリ
１２４  通信用インターフェイス回路
２００  サーバ
２０１  ＣＰＵ
２０３  ＲＡＭ
２０４  通信用インターフェイス回路
２０５  ハードディスク
２１０  暗証番号登録ファイル
２２０  利用者登録データファイル
２３０  利用状況ファイル
２４０  経過時間履歴ファイル
３００  携帯電話機
３０６  液晶パネル
３０８  操作部
３１０  無線部
３１２  音声回路
３１４  スピーカ
３１６  マイクロフォン
３１８  送受信アンテナ
３２０  不揮発性メモリ
３２２  マイクロコンピュータ
３２４  二次電池
５００  コインランドリー利用システム
【図１】
2006262942.tif 000003
【図２】
2006262942.tif 000004
【図３】
2006262942.tif 000005
【図４】
2006262942.tif 000006
【図５】
2006262942.tif 000007
【図６】
2006262942.tif 000008
【図７】
2006262942.tif 000009
【図８】
2006262942.tif 000010
【図９】
2006262942.tif 000011
【図１０】
2006262942.tif 000012
【図１１】
2006262942.tif 000013
【図１２】
2006262942.tif 000014
【図１３】
2006262942.tif 000015
【図１４】
2006262942.tif 000016
【図１５】
2006262942.tif 000017
【図１６】
2006262942.tif 000018
【図１７】
2006262942.tif 000019
【図１８】
2006262942.tif 000020
【図１９】
2006262942.tif 000021
【図２０】
2006262942.tif 000022
【図２１】
2006262942.tif 000023